(57)【要約】【課題】ランダム再生時に所定のオーディオデータの再生をスキップさせるオーディオ装置の処理負荷を軽減させ、処理効率を向上させることができるオーディオ再生システムを提供することである。【解決手段】車載用オーディオ装置２のオーディオデータ記憶処理において、車載用オーディオ装置２はＣＤ５から読み取ったＴＯＣ情報をサーバ１に送信し、サーバ１は受信したＴＯＣ情報からオーディオ情報の特定と、再生対象フラグの生成を行い、これらオーディオ情報と再生対象フラグを車載用オーディオ装置２に送信する。車載用オーディオ装置２は受信した２つの情報とオーディオデータを対応付けてオーディオデータ記憶部２０５に記憶させておく。そして、車載用オーディオ装置２に記憶されているオーディオデータのランダム再生処理において、ランダムに選択したオーディオデータに対応する再生対象フラグの値により、再生するか否かを判断させる。【選択図】図９
2012252745.tif 000002
【特許請求の範囲】
【請求項１】
通信ネットワークを介してオーディオ情報を送信可能なサーバと、
前記サーバから送信されたオーディオ情報と、記録媒体から読み取られたオーディオデータとを対応付けてオーディオデータ記憶部に記憶しておき、ランダム再生機能により前記オーディオデータ記憶部からランダムにオーディオデータを選択し再生可能なオーディオ装置からなるオーディオ再生システムにおいて、
前記サーバは、
オーディオデータに関する付随情報に対応させてオーディオ情報を記憶するオーディオ情報記憶部と、
前記オーディオ装置から受信した付随情報に基づきオーディオ情報記憶部を検索し、前記付随情報に対応するオーディオ情報を特定するオーディオ情報特定部と、
前記オーディオ情報特定部で特定した前記オーディオ情報に基づいて、楽曲データであるか否かを判定し、この判定結果に基づき、再生対象情報を生成する再生対象情報生成部と、
前記オーディオ情報特定部で特定した前記オーディオ情報と、前記再生対象情報生成部により生成された前記再生対象情報を前記通信ネットワークにより前記オーディオ装置に送信するオーディオ情報送信部と、を備え、
前記オーディオ装置は、
記録媒体から付随情報とオーディオデータを読み取る記録媒体読取部と、
前記記録媒体読取部より読み取られた付随情報を前記サーバに送信する付随情報送信部と、
前記サーバからオーディオ情報と再生対象情報を受信するオーディオ情報受信部と、
前記記録媒体読取部より読み取られたオーディオデータと、前記オーディオ情報受信部が受信したオーディオ情報と再生対象情報とを対応付けて前記オーディオデータ記憶部に記憶させるオーディオデータ記憶制御部と、
前記ランダム再生機能が選択されたとき、前記オーディオデータ記憶部に記憶されている再生対象情報に基づいて再生対象とするオーディオデータを選択し、ランダム再生させるオーディオデータ再生制御部と、
を備えることを特徴とするオーディオ再生システム。
【請求項２】
前記オーディオ装置は、
前記サーバより取得した再生対象情報に基づき、ランダム再生対象となるオーディオ情報を管理した再生対象リストを作成する再生対象リスト作成部と、
前記作成された再生対象リストを記憶する再生対象リスト記憶部と、を更に備え、
前記オーディオデータ再生制御部は、ランダム再生機能が選択されたとき、前記記憶された再生対象リストからオーディオ情報をランダムに選択し、選択されたオーディオ情報に対応するオーディオデータを前記オーディオデータ記憶部から読み出して再生制御を行う、
ことを特徴とする請求項１に記載のオーディオ再生システム。
【請求項３】
前記再生対象情報は、楽曲データまたは非楽曲データを示すフラグデータであり、
前記オーディオ情報は、ジャンル名、アーティスト名、アルバム名、タイトル名の組み合わせであり、
前記再生対象情報生成部は、ジャンル名、アーティスト名、アルバム名、タイトル名の少なくとも１つに対し、所定の文字列を有するか否かを判定することにより、楽曲データであるか否かを判定し、前記フラグデータを生成する、
ことを特徴とする請求項１または請求項２に記載のオーディオ再生システム。
【請求項４】
オーディオ装置と通信ネットワークを介して接続され、前記オーディオ装置から送信される付随情報に対応するオーディオ情報を特定し、特定した前記オーディオ情報を前記オーディオ装置に送信するサーバにおいて、
オーディオデータに関する付随情報に対応させてオーディオ情報を記憶するオーディオ情報記憶部と、
前記オーディオ装置から受信した付随情報に基づいて、前記オーディオ情報記憶部を検索し、前記付随情報に対応するオーディオ情報を特定するオーディオ情報特定部と、
前記オーディオ情報特定部で特定した前記オーディオ情報に基づいて、楽曲データであるか否かを判定し、この判定結果に基づき、再生対象情報を生成する再生対象情報生成部と、
前記オーディオ情報特定部で特定した前記オーディオ情報と、前記再生対象情報生成部で生成された前記再生対象情報を前記通信ネットワークにより前記オーディオ装置に送信するオーディオ情報送信部と、
を備えることを特徴とするサーバ。
【請求項５】
前記再生対象情報は、楽曲データまたは非楽曲データを示すフラグデータであり、
前記オーディオ情報は、ジャンル名、アーティスト名、アルバム名、タイトル名の組み合わせであり、
前記再生対象情報生成部は、ジャンル名、アーティスト名、アルバム名、タイトル名の少なくとも１つに対し、所定の文字列を有するか否かを判定することにより、楽曲データであるか否かを判定し、前記フラグデータを生成する、
ことを特徴とする請求項４に記載のサーバ。
【請求項６】
通信ネットワークを介してサーバから送信されたオーディオ情報と、記録媒体から読み取られたオーディオデータとを対応付けてオーディオデータ記憶部に記憶させておき、ランダム再生機能により前記オーディオデータ記憶部からランダムにオーディオデータを選択し再生可能なオーディオ装置において、
前記記録媒体から付随情報とオーディオデータを読み取る記録媒体読取部と、
前記記録媒体読取部より読み取られた付随情報を前記サーバに送信する付随情報送信部と、
前記サーバからオーディオ情報と再生対象情報を受信するオーディオ情報受信部と、
前記記録媒体読取部より読み取られたオーディオデータと、前記オーディオ情報受信部が受信したオーディオ情報と再生対象情報とを対応付けて前記オーディオデータ記憶部に記憶させるオーディオデータ記憶制御部と、
前記ランダム再生機能が選択されたとき、前記オーディオデータ記憶部に記憶されている再生対象情報に基づいて再生対象とするオーディオデータを選択し、ランダム再生させるオーディオデータ再生制御部と、
を備えることを特徴とするオーディオ装置。
【請求項７】
前記オーディオ装置は、
前記サーバより取得した再生対象情報に基づき、ランダム再生対象となるオーディオ情報を管理した再生対象リストを作成する再生対象リスト作成部と、
前記作成された再生対象リストを記憶する再生対象リスト記憶部と、を更に備え、
前記オーディオデータ再生制御部は、ランダム再生機能が選択されたとき、前記記憶された再生対象リストからオーディオ情報をランダムに選択し、選択されたオーディオ情報に対応するオーディオデータを前記オーディオデータ記憶部から読み出して再生制御を行う、
ことを特徴とする請求項６に記載のオーディオ装置。
【発明の詳細な説明】
【技術分野】
【０００１】
本発明は、ランダム再生機能を有したオーディオ装置が通信ネットワークを介してサーバからオーディオ情報を取得するオーディオ再生システム、オーディオ装置及びサーバに関する。
【背景技術】
【０００２】
従来、ハードディスクドライブ（以下、ＨＤＤ）を搭載したオーディオ装置が提供されており、この種のオーディオ装置では、例えばＣＤ（Ｃｏｍｐａｃｔ  Ｄｉｓｃ）からオーディオデータを読み出してＨＤＤに取り込むことにより、複数枚分のＣＤのオーディオデータをＨＤＤに記録（リッピング）することが可能である。このようにすれば、ユーザは、ＣＤを抜き差しすることなく多くのオーディオデータを視聴することができる。
【０００３】
また、一般に、ＣＤは所定のフォーマットを有しており、図１４はＣＤが有する所定のフォーマットを示した概念図である。ＣＤは付随情報としてＴＯＣ（Ｔａｂｌｅ  Ｏｆ  Ｃｏｎｔｅｎｔｓ）情報が記録されているリードイン領域、オーディオデータが記録されるデータ領域、データ領域の終了を示すリードアウト領域とから構成される。ＴＯＣ情報は、ＣＤに記録されているオーディオトラックの数や各オーディオトラックの長さ等を示しており、実質上、ＣＤの種類（アルバム）毎に異なる値を持つ。
このため、オーディオ装置は、ＣＤのオーディオデータをＨＤＤに記録する際、このＣＤのＴＯＣ情報をキーとして、オーディオ装置内蔵またはネットワーク上に存在するＣＤＤＢ（ＣＤ  ＤａｔａＢａｓｅ）にアクセスし、ＣＤに関するオーディオ情報（収録曲のタイトル名、アルバム名、アーティスト名、ジャンル、再生時間など）を取得して、このオーディオ情報とオーディオデータを対応付けてＨＤＤに記録する。これにより、オーディオ装置は、オーディオ情報を使用した楽曲検索やオーディオデータ再生時にオーディオ情報を表示することが可能となっている。
【０００４】
このような機能を有するオーディオ装置において、多数のＣＤをＨＤＤに記憶させておくことができることから、音楽ＣＤだけでなく、語学学習用ＣＤなどの音楽以外のオーディオデータを記録しているＣＤもＨＤＤに記憶しておくユーザも増えてきている。また、オーディオブックと呼ばれる書籍などの文章を音声化したオーディオデータをＨＤＤに記憶しておくユーザもいる。このような傾向は特に、車載用オーディオ装置にオーディオデータを記録する場合に多く見られる。
【０００５】
一方、従来のオーディオ装置では、ＨＤＤに記録されたオーディオデータを予め決められた順序で再生する通常再生モードに加え、ＨＤＤに記録されたオーディオデータをランダムに選択して再生するランダム再生モードを有しているものが提供されている。このランダム再生モードは、ＨＤＤに記録されているオーディオデータをランダムに選曲してくれるため、ユーザは普段聞き慣れたオーディオデータを異なる順序で視聴することができ、新鮮な気分を味わうことができる。
【０００６】
しかし、ユーザがこのランダム再生モードにした場合、音楽ＣＤからリッピングされた音楽用オーディオデータと、語学学習用ＣＤからリッピングされた語学学習用オーディオデータとが混在して再生されてしまうという課題がある。特に、語学学習用オーディオデータは複数のトラックを順番に連続して再生することにより、１つの学習内容を学習可能とするものが多く、ランダム再生モードでは、学習内容の１部分のみが分離して再生されてしまっていた。この場合、ユーザは語学学習用オーディオデータが再生される度に、スキップ操作を行わなければならないという煩わしさがある。
またオーディオブックのオーディオデータについても同様の課題がある。
【０００７】
そこで、従来技術として、例えば、特許文献１には、音楽情報にイントロ曲や挿入曲が含まれている場合に、これらのオーディオデータをランダム再生の再生対象から除外するオーディオ装置が開示されており、具体的にはタイトル名、アーティスト名、アルバム名、ジャンル名等のオーディオ情報に、所定の文字列がふくまれているかを判定してランダム再生の対象外としている。
【先行技術文献】
【特許文献】
【０００８】
【特許文献１】特開２００８−００４２１７号公報
【発明の概要】
【発明が解決しようとする課題】
【０００９】
上記特許文献１の技術を用いて、オーディオ情報に「学習」や「教育」等の文字列を含むオーディオデータがランダム再生時に選択されたとき、前記オーディオデータを自動でスキップさせることが可能である。しかし、特許文献１では、ランダムに選曲されたオーディオデータがランダム再生の再生対象であるか否かを判定する際、文字列の比較処理を、１つのオーディオデータの再生が終了するたびに判定するため、オーディオ装置の処理負荷が高くなる傾向がある。特に、非楽曲データ（語学学習用オーディオデータ、オーディオブックなど）を多く記録している場合、その傾向が顕著になる。
【００１０】
そこで、本発明の目的は、ランダム再生時に所定のオーディオデータの再生をスキップさせるオーディオ装置の処理負荷を軽減させ、処理効率を向上させることができるオーディオ再生システム、オーディオ装置及びサーバを提供することである。
【課題を解決するための手段】
【００１１】
上記課題を解決する為に、本発明のオーディオ再生システムは、通信ネットワークを介してオーディオ情報を送信可能なサーバと、前記サーバから送信されたオーディオ情報と、記録媒体から読み取られたオーディオデータとを対応付けてオーディオデータ記憶部に記憶しておき、ランダム再生機能により前記オーディオデータ記憶部からランダムにオーディオデータを選択し再生可能なオーディオ装置を含み、
前記サーバは、オーディオデータに関する付随情報に対応させてオーディオ情報を記憶するオーディオ情報記憶部と、前記オーディオ装置から受信した付随情報に基づきオーディオ情報記憶部を検索し、前記付随情報に対応するオーディオ情報を特定するオーディオ情報特定部と、前記オーディオ情報特定部で特定した前記オーディオ情報に基づいて、楽曲データであるか否かを判定し、この判定結果に基づき、所定のオーディオデータに対する再生対象情報を生成する再生対象情報生成部と、前記オーディオ情報特定部で特定した前記オーディオ情報と、前記再生対象情報生成部により生成された前記再生対象情報を前記通信ネットワークにより前記オーディオ装置に送信するオーディオ情報送信部と、を備え、
前記オーディオ装置は、記録媒体から付随情報とオーディオデータを読み取る記録媒体読取部と、前記記録媒体読取部より読み取られた付随情報を前記サーバに送信する付随情報送信部と、前記サーバからオーディオ情報と再生対象情報を受信するオーディオ情報受信部と、前記記録媒体読取部より読み取られたオーディオデータと、前記オーディオ情報受信部が受信したオーディオ情報と再生対象情報とを対応付けて前記オーディオデータ記憶部に記憶させるオーディオデータ記憶制御部と、前記ランダム再生機能が選択されたとき、前記オーディオデータ記憶部に記憶されている再生対象情報に基づいて再生対象とするオーディオデータのみを選択し、ランダム再生させるオーディオデータ再生制御部と、を備えている。
【００１２】
本発明の前記オーディオ装置は、前記サーバより取得した再生対象情報に基づき、ランダム再生対象となるオーディオ情報を管理した再生対象リストを作成する再生対象リスト作成部と、前記再生対象リスト作成部により作成された再生対象リストを記憶する再生対象リスト記憶部と、を更に備え、前記オーディオデータ再生制御部は、ランダム再生機能が選択されたとき、前記再生対象リスト記憶部に記憶されたリストからオーディオ情報をランダムに選択し、選択されたオーディオ情報に対応するオーディオデータを前記オーディオデータ記憶部から読み出して再生制御を行うようにしてもよい。
【００１３】
前記再生対象情報は、楽曲データまたは非楽曲データを示すフラグデータであり、前記オーディオ情報は、ジャンル名、アーティスト名、アルバム名、タイトル名の組み合わせであり、前記再生対象情報生成部は、ジャンル名、アーティスト名、アルバム名、タイトル名の少なくとも１つに対し、所定の文字列を有するか否かを判定することにより、楽曲データであるか否かを判定し、前記フラグデータを生成するようにしてもよい。
【発明の効果】
【００１４】
本発明によれば、オーディオ装置でオーディオデータのランダム再生を行わせる際、サーバにより各オーディオデータに対し、再生対象となるか否かを予め判断させておくことで、ランダム再生時に非楽曲などの再生させたくないオーディオデータを容易にスキップでき、オーディオ装置の処理負荷が軽減され、処理効率を向上することができる。
【図面の簡単な説明】
【００１５】
【図１】実施例１に係るオーディオ再生システムの全体構成図である。
【図２】実施例１に係るサーバの構成図である。
【図３】実施例１に係る車載用オーディオ装置の構成図である。
【図４】ＣＤＤＢの構成を示す図である。
【図５】表示画面の表示例を示す図である。
【図６】オーディオデータ記憶部に記憶されているデータ構成を示す図である。
【図７】実施例１に係るオーディオデータ記憶処理のフローチャートである。
【図８】実施例１に係る再生対象フラグ生成処理のフローチャートである。
【図９】実施例１に係るランダム再生処理のフローチャートである。
【図１０】実施例２に係る車載用オーディオ装置の構成図である。
【図１１】再生対象リストの一例を示す図である。
【図１２】実施例２に係る再生対象リスト作成処理のフローチャートである。
【図１３】実施例２に係るランダム再生処理のフローチャートである。
【図１４】ＣＤが有する所定のフォーマットを示した概念図である。
【発明を実施するための形態】
【００１６】
次に、本発明の実施の形態に係るオーディオ再生システムについて図面を参照して詳細に説明する。本発明の好ましい実施の形態として、本発明に係るオーディオ装置は、車載用オーディオ装置として利用される例を説明する。
【実施例１】
【００１７】
図１は実施例１に係るオーディオ再生システムの全体構成図を示しており、図２は実施例１に係るサーバの構成を示しており、図３は実施例１に係る車載用オーディオ装置の構成図を示している。
図１に示すように、オーディオ再生システムは、通信ネットワーク３に接続された車載用オーディオ装置２及びサーバ１で構成され、車載用オーディオ装置２が通信ネットワーク３を介してサーバ１からオーディオ情報を取得するようになっている。
【００１８】
最初に、サーバ１の構成について図２を参照して説明する。サーバ１は、その機能構成として、第１データ通信部１０１、オーディオ情報記憶部１０２、オーディオ情報特定部１０３、再生対象情報生成部１０４、オーディオデータ情報送信部１０５とにより構成される。
【００１９】
第１データ通信部１０１は、通信ネットワーク３と接続可能であり、車載用オーディオ装置２と通信ネットワーク３を介してデータ通信を行うことができる。
オーディオ情報記憶部１０２は、ＣＤＤＢであり、オーディオデータが記録された各ＣＤに関するＴＯＣ情報（付随情報に相当する）と、このＴＯＣ情報に関連付けられたオーディオ情報（ジャンル名、アルバム名、アーティスト名、タイトル名）とを記憶するデータベースである。
図４はＣＤＤＢの一例であり、例えば、ＴＯＣ＃０１のＴＯＣ情報を記録するＣＤに対応するオーディオ情報は、ジャンル名が「Ｊ−ＰＯＰ」、アーティスト名が「ＡｒｔｉｓｔＡ」、アルバム名が「ＭｕｓｉｃＡ」、そしてタイトル名が「ＴｒａｃｋＡ」、「ＴｒａｃｋＢ」、「ＴｒａｃｋＣ」であるというがわかる。なお、このＣＤＤＢは、ＣＤが発売される度に追加更新される。さらに、ＣＤＤＢに記憶されているオーディオ情報は、ユーザによって編集可能であってもよい。
【００２０】
オーディオ情報特定部１０３は、車載用オーディオ装置２から送信されたオーディオ情報取得要求を通信ネットワーク３を介して第１データ通信部１０１より受信する。そして、オーディオ情報特定部１０３は、受信したオーディオ情報取得要求からＴＯＣ情報を抽出する。その後、オーディオ情報特定部１０３は、抽出したＴＯＣ情報をキーに、オーディオ情報記憶部１０２を検索し、このＴＯＣ情報に対応するオーディオ情報を特定する。
【００２１】
再生対象情報生成部１０４は、オーディオ情報特定部１０３で特定された前記オーディオ情報を取得し、このオーディオ情報に所定の文字列が含まれるか否かを判定する。ここで、所定の文字列とは、例えば、「教育」、「学習」、「Ｓｔｕｄｙ」、「Ｌｅｓｓｏｎ」、「オーディオブック」、「ＡｕｄｉｏＢｏｏｋ」などの非楽曲データであることを示す文字列であり、再生対象情報生成部１０４に予め設定されている。また、これらの文字列は、オーディオ情報の各項目に対して共通に設定してもよいし、個別に設定することもできる。そして、その判定結果に応じて、楽曲データか非楽曲データかを示す再生対象情報のフラグデータ（以下、再生対象フラグ）を生成する。
【００２２】
具体的には、再生対象情報生成部１０４は、オーディオ情報に所定の文字列が含まれている場合には、再生対象フラグとして、「１（非楽曲データを示す）」を生成する。一方、オーディオ情報に所定の文字列が含まれていない場合には、再生対象フラグとして「０（楽曲データを示す）」を生成する。
そして、再生対象情報生成部１０４は、生成した再生対象フラグとともに、オーディオ情報特定部１０３で特定されたオーディオ情報をオーディオ情報送信部１０５に出力する。
【００２３】
オーディオ情報送信部１０５は、再生対象情報生成部１０４から入力されたオーディオ情報と再生対象フラグとを、第１データ通信部１０１を介して、車載用オーディオ装置２へ送信する。
【００２４】
次に、車載用オーディオ装置２の構成について図３を参照して説明する。車載用オーディオ装置２は、その機能構成として、ディスク読取部２０１、付随情報送信部２０２、第２データ通信部２０３、オーディオ情報受信部２０４、オーディオデータ記憶部２０５、操作部２０６、表示部２０７、オーディオデータ再生部２０８、制御部２２０により構成される。
【００２５】
ディスク読取部（記録媒体読取部に相当）２０１は、光ピックアップ装置や前記光ピックアップ装置を駆動するモータ等により構成され、ＣＤ５に光を照射し、ＣＤ５からの反射光を検知器等で検知する機能を有する。このディスク読取部２０１は、制御部２２０からＣＤ５の再生要求があった場合、ＣＤ５からオーディオデータを読み取り、制御部２２０へ出力する。また、制御部２２０からオーディオデータの録音要求があった場合、ＣＤ５からＴＯＣ情報とオーディオデータを読み込み、制御部２２０へ出力する。
付随情報送信部２０２は、ＴＯＣ情報が制御部２２０から入力されると、この入力されたＴＯＣ情報を含むオーディオ情報取得要求を生成する。生成されたオーディオ情報取得要求は、第２データ通信部２０３を介して、通信ネットワーク３に接続されたサーバ１に送信される。
【００２６】
第２データ通信部２０３は、通信ネットワーク３と接続可能であり、本発明に係るサーバ１と通信ネットワーク３を介してデータ通信を行うことが出来る。なお、第２データ通信部２０３は、車載用オーディオ装置２に内蔵された通信装置でも、携帯電話などの通信機能を有する外部通信装置でもよい。
オーディオ情報受信部２０４は、サーバ１から送信されたオーディオ情報と再生対象フラグを第２データ通信部２０３を介して受信し、それらを制御部２２０へ出力する。
オーディオデータ記憶部２０５は、後述するオーディオデータ記憶制御部２２１にて関連付けられたＴＯＣ情報、オーディオ情報、オーディオデータ、再生対象フラグ、を記憶する。これらのオーディオデータ記憶処理については後述する。本実施例では、オーディオデータ記憶部２０５にＨＤＤを適用しているが、これに限らず、例えばＵＳＢ（Ｕｎｉｖｅｒｓａｌ  Ｓｅｒｉａｌ  Ｂｕｓ）メモリなどを適用することも可能である。
【００２７】
操作部２０６は、タッチパネルやリモコンなどから構成され、ユーザ指示による各種操作・設定ができ、これらの指示が制御部２２０に入力される。具体的には、ＣＤ５やオーディオデータ記憶部２０５に記憶されているオーディオデータの再生モード（通常再生、ランダム再生など）の選択及びオーディオデータの再生開始／停止の指示、ＣＤ５からオーディオデータ記憶部２０５にオーディオデータを記憶させる録音指示を、ユーザの操作指示によって行うことができる。
表示部２０７は、液晶表示装置で構成され、現在再生されているオーディオデータに関するオーディオ情報を表示する再生画面（図５−（ａ））、再生モードをユーザに選択させる画面（図５−（ｂ））、オーディオデータをオーディオデータ記憶部２０５へ録音するか否かを選択させる画面（図５−（ｃ））を表示する。
オーディオデータ再生部２０８は、制御部２２０から取得したオーディオデータに対して復号処理やＤ／Ａ変換処理等を行い、スピーカ２０９に出力する。スピーカ２０９は、オーディオデータ再生部２０８より入力されたオーディオデータを音として出力する。
【００２８】
制御部２２０は、車載用オーディオ装置２の全体を制御し、オーディオデータ記憶制御部２２１と、オーディオデータ再生制御部２２２により構成される。
オーディオデータ記憶制御部２２１は、選択画面（図５−（ｃ））により操作部２０６からオーディオデータの録音指示が入力されると、ディスク読取部２０１からＴＯＣ情報とオーディオデータを取得し、取得したＴＯＣ情報を付随情報送信部２０２へ出力する。
付随情報送信部２０２は、出力されたＴＯＣ情報を基に、オーディオ情報取得要求を作成し、サーバ１に送信すると、サーバ１は、受信したオーディオ情報取得要求を基に、オーディオ情報の特定と再生対象フラグの生成を行い、これらをオーディオ情報受信部２０４へ送信する。
【００２９】
そして、オーディオデータ記憶制御部２２１は、オーディオ情報受信部２０４がサーバ１から受信したオーディオ情報と再生対象フラグを取得する。オーディオデータ記憶制御部２２１は、これまでの処理により、ＴＯＣ情報、オーディオデータ、オーディオデータに対応したオーディオ情報、再生対象フラグを取得していることになり、オーディオデータ記憶制御部２２１は、これら４つのデータを関連付けて、符号化処理を行った後、オーディオデータ記憶部２０５に記憶する。その結果、オーディオデータ記憶部２０５には、ＴＯＣ情報、オーディオ情報、オーディオデータ、再生対象フラグが関連付いて記憶される（図６）。
【００３０】
オーディオデータ再生制御部２２２は、操作部２０６からＣＤ５に記録されているオーディオデータの再生が入力されると、ディスク読取部２０１からＣＤ５に記録されているオーディオデータを順に取得し、取得したオーディオデータをオーディオデータ再生部２０８へ出力する。また、オーディオデータ再生制御部２２２は、操作部２０６からＣＤ５に記録されているオーディオデータのランダム再生指示が入力されると、ディスク読取部２０１からオーディオデータをトラック単位でランダムに取得し、取得したオーディオデータをオーディオデータ再生部２０８へ出力する。
【００３１】
一方、オーディオデータ再生制御部２２２は、操作部２０６からオーディオデータ記憶部２０５に記録されているオーディオデータの再生指示が入力されると、まず、表示部２０７へ再生モード選択画面（図５−（ｂ））を表示させる指示を出す。この再生モードは、オーディオデータ再生制御部２２２が有しており、例えば、本発明に係るランダム再生モードの他、ユーザによって選択されたアルバムのオーディオデータのみを再生対象とするアルバム再生モード、ユーザによって選択されたアーティストのオーディオデータのみを再生対象とするアーティスト再生モード、ユーザによって選択されたジャンルのオーディオデータのみを再生対象とするジャンル再生モードなど、異なる再生条件に従って各オーディオデータを再生するための複数の再生モードを有している。そして、どの再生モードでオーディオデータの再生を開始するかは、ユーザが選択画面に基づいて操作部２０６を操作することによって選択することができる。これにより、オーディオデータ再生制御部２２２は、選択された所望の再生モードでオーディオデータの再生を開始することが可能となる。
【００３２】
例えば、再生モード選択画面（図５−（ｂ））にて、ランダム再生モードが選択されると、オーディオデータ再生制御部２２２は、オーディオデータ記憶部２０５に記憶されている全オーディオデータ（図６）を対象に、オーディオデータをランダムに選択し、この選択したオーディオデータに対応する再生対象フラグに応じて、オーディオデータをオーディオデータ記憶部２０５から取得し、オーディオデータ再生部２０８へ出力するとともに、このオーディオデータに関連したオーディオ情報を表示部２０７へ出力する。
具体的には、オーディオデータ再生制御部２２２は、オーディオデータ記憶部２０５からオーディオデータをランダムに選択し、この選択したオーディオデータに対応した再生対象フラグが「０（楽曲データ）」であるオーディオデータのみをオーディオデータ再生部２０８へ出力する。
【００３３】
続いて、上記のように構成した実施例１によるオーディオ再生システムの各種処理について説明する。
まず、実施例１に係るオーディオ再生システムのオーディオデータ記憶処理について、図７を用いて説明する。
【００３４】
車載用オーディオ装置２において、ユーザが操作部２０６より、ＣＤ５のオーディオデータの録音指示を行う（Ｓ１０１）と、オーディオデータ記憶制御部２２１は、この指示に基づいて、ディスク読取部２０１にＴＯＣ情報とオーディオデータを出力するように指示する。これにより、ディスク読取部２０１は、ＣＤ５に記録されたＴＯＣ情報と、オーディオデータとを読み取り、それらを、オーディオデータ記憶制御部２２１に出力する（Ｓ１０２）。
オーディオデータ記憶制御部２２１は、ディスク読取部２０１から入力されたＴＯＣ情報とオーディオデータのうち、ＴＯＣ情報のみを付随情報送信部２０２へ入力する。そして、付随情報送信部２０２は、オーディオデータ記憶制御部２２１から入力されたＴＯＣ情報を含めたオーディオ情報取得要求を生成し（Ｓ１０３）、このオーディオ情報取得要求を第２データ通信部２０３を介して、通信ネットワーク３に接続されたサーバ１へ情報を送信する（Ｓ１０４）。
【００３５】
次に、サーバ１のオーディオ情報特定部１０３は、車載用オーディオ装置２の付随情報送信部２０２より送信されたオーディオ情報取得要求を第１データ通信部１０１を介して受信する。オーディオ情報特定部１０３は、受信したオーディオ情報取得要求からＴＯＣ情報を抽出し、抽出したＴＯＣ情報をキーに、オーディオ情報記憶部１０２からオーディオ情報の特定を行う（Ｓ１０５）。
例えば、ＴＯＣ情報がＴＯＣ＃０２であるＣＤ５のオーディオデータである場合、オーディオ情報特定部１０３は、付随情報送信部２０２より送信されたオーディオ情報取得要求から「ＴＯＣ＃０２」を抽出する。そして、この「ＴＯＣ＃０２」という情報を用いて、オーディオ情報記憶部１０２のＣＤＤＢから「ＴＯＣ＃０２」に対応するオーディオ情報を特定する。その結果、ＣＤ５に対応するオーディオ情報は、ジャンル名として「Ｒ＆Ｂ」、アーティスト名として「ＡｒｔｉｓｔＢ」、アルバム名として「ＭｕｓｉｃＢ」、そしてタイトル名としてトラック順に「ＴｒａｃｋＦ」、「ＴｒａｃｋＧ」が特定される。
【００３６】
オーディオ情報の特定が完了すると、オーディオ情報特定部１０３は、特定したオーディオ情報を再生対象情報生成部１０４へ入力する。再生対象情報生成部１０４は、オーディオ情報特定部１０３より送信されたオーディオ情報について、楽曲データか非楽曲データかの判定を行い、再生対象フラグを生成する処理を行う（Ｓ１０６）。この再生対象フラグ生成処理については図８を用いて詳細に説明する。
【００３７】
図８は、再生対象フラグ生成処理についてのフロー図である。
サーバ１の再生対象情報生成部１０４は、初めに変数Ｎを準備し、初期値“１”を設定する（Ｓ２０１）。次に、再生対象情報生成部１０４は、オーディオ情報特定部１０３から入力されたオーディオ情報のＮ番目のトラックに対する情報を取得する（Ｓ２０２）。そして、この取得したＮ番目に対するオーディオ情報のうち、ジャンル名に「学習」、「教育」、「Ｓｔｕｄｙ」、「Ｌｅｓｓｏｎ」、「オーディオブック」、「ＡｕｄｉｏＢｏｏｋ」等の所定の文字列が含まれているか否かを確認する（Ｓ２０３）。
ジャンル名に上記文字列が含まれている場合は、再生対象情報生成部１０４は、オーディオ情報に対し、非楽曲データであると判定し、車載用オーディオ装置２でランダム再生する際の再生対象フラグとして「１」を生成する（Ｓ２０８）。一方、ジャンル名に上記文字列が含まれていない場合は、続いてアーティスト名による楽曲データ／非楽曲データの判定を行う（Ｓ２０４）。
アーティスト名に上記文字列が含まれている場合は、再生対象情報生成部１０４は、オーディオ情報に対し、非楽曲データであると判定し、車載用オーディオ装置２でランダム再生する際の再生対象フラグとして「１」を生成する（Ｓ２０８）。一方、アーティスト名に上記文字列が含まれていない場合は、続いてアルバム名による楽曲データ／非楽曲データの判定を行う（Ｓ２０５）。
【００３８】
アルバム名に上記文字列が含まれている場合は、再生対象情報生成部１０４は、オーディオ情報に対し、非楽曲データであると判定し、車載用オーディオ装置２でランダム再生する際の再生対象フラグとして「１」を生成する（Ｓ２０８）。一方、アルバム名に上記文字列が含まれていない場合は、続いてタイトル名による楽曲データ／非楽曲データの判定を行う（Ｓ２０６）。
タイトル名に上記文字列が含まれている場合は、再生対象情報生成部１０４は、オーディオ情報に対し、非楽曲データであると判定し、車載用オーディオ装置２でランダム再生する際の再生対象フラグとして「１」を生成する（Ｓ２０８）。一方、タイトル名に上記文字列が含まれていない場合は、再生対象情報生成部１０４は、オーディオ情報に対し、楽曲データであると判定し、車載用オーディオ装置２でランダム再生する際の再生対象フラグとして「０」を生成する（Ｓ２０７）。
【００３９】
続いて、Ｎ＋１番目のトラックに対するオーディオ情報が存在するか否かを確認する（Ｓ２０９）。Ｎ＋１番目のトラックに対するオーディオ情報が存在する場合、全てのトラックのオーディオ情報に対して再生対象フラグの判定が完了していないと判断し、変数Ｎに“１”を加算して（Ｓ２１０）、ステップＳ２０２の処理を行う。一方、Ｎ＋１番目のトラックに対するオーディオ情報が存在しない場合、全てのトラックのオーディオ情報に対して再生対象フラグ判定が完了したと判断し、再生対象フラグ生成処理を終了する。
【００４０】
上記に示したＴＯＣ＃０２であるＣＤ５のオーディオデータ記憶処理の例では、１つ目のトラックに対するジャンル名、アーティスト名、アルバム名、タイトル名、全てにおいて所定の文字列を含んでいないため、１つ目のトラックに対して、ステップＳ２０７にて、再生対象フラグとして「０」が生成される。続いて、２つ目のトラックに対しても、ジャンル名、アーティスト名、アルバム名、タイトル名、全てにおいて所定の文字列を含んでいないため、ステップＳ２０７にて、再生対象フラグとして「０」が生成される。ＴＯＣ＃０２を構成するオーディオデータは、３番目のトラックは存在しないため、全てのオーディオデータに対して判定が完了したと判断し、ここで再生対象フラグ生成処理を終了する。
【００４１】
また、ＴＯＣ＃０３であるＣＤ５のオーディオデータ記憶処理の場合、ステップＳ１０５により、このＣＤ５に対応するオーディオ情報は、ジャンル名として「Ｅｄｕｃａｔｉｏｎ」、アーティスト名として「ＰｕｂｌｉｓｈｅｒＡ」、アルバム名として「Ｓｔｕｄｙ  Ｅｎｇｌｉｓｈ  ＣＤ  （Ｂａｓｉｃ）」、タイトル名として「Ｌｅｓｓｏｎ０１」、「Ｌｅｓｓｏｎ０２」、「Ｌｅｓｓｏｎ０３」が特定される。そして、ステップＳ１０６（図７）の再生対象フラグ生成処理において、まず１つ目のトラックに対してジャンル名、アーティスト名、アルバム名、タイトル名に所定の文字列を含んでいないかを確認する。その結果、ステップＳ２０５のアルバム名による楽曲データ／非楽曲データの判定により、非楽曲データであると判定され、再生対象フラグとして「１」が生成される。同様に２つ目、３つ目のトラックに対してもアルバム名に所定の文字列が含まれているため、再生対象フラグとして「１」が生成される。そして、４つ目のトラックは存在しないため、全てのオーディオデータに対して判定が完了したと判断し、再生対象フラグ生成処理を終了する。
【００４２】
なお、上記記載の図８に示す再生対象フラグ生成処理の例では、ジャンル名、アーティスト名、アルバム名、タイトル名の全てに対して、楽曲データ／非楽曲データの判定を行ったが、これに限られるものではない。例えば、ジャンル名の１種類で判定を行う場合は、図８の再生対象フラグ生成処理におけるステップＳ２０４、ステップＳ２０５、ステップＳ２０６の処理を行わないようにすればよい。また、アルバム名とタイトル名の２種類で判定を行う場合は、ステップＳ２０３とステップＳ２０４の処理を行わないようにすればよく、その組み合わせは自由である。
【００４３】
次に、再生対象情報生成部１０４は、再生対象フラグとオーディオ情報をオーディオ情報送信部１０５へ出力し、そして、オーディオ情報送信部１０５は、これらのデータを通信ネットワーク３を介し、車載用オーディオ装置２に送信する（Ｓ１０７）。
【００４４】
車載用オーディオ装置２のオーディオ情報受信部２０４は、サーバ１のオーディオ情報送信部１０４から送信されてきたオーディオ情報と再生対象フラグを第２データ通信部２０３を介して受信する。
オーディオ情報受信部２０４は、受信したオーディオ情報と再生対象フラグを制御部２２０へ出力する。制御部２２０のオーディオデータ記憶制御部２２１は、入力されたオーディオ情報と再生対象フラグ、そしてディスク読取部２０１から入力されたＴＯＣ情報とオーディオデータとを関連付けて、符号化処理を行う（Ｓ１０８）。符号化処理が完了すると、オーディオデータ記憶部２０５に記憶する（Ｓ１０９）。
上記オーディオデータ記憶処理を複数枚のＣＤで行うことで、図６のようにオーディオデータがオーディオデータ記憶部２０５に記憶される。
【００４５】
続いて、実施例１に係るランダム再生システムのオーディオデータ記憶部２０５に記憶されているオーディオデータのランダム再生処理について、図９を用いて説明する。
ユーザが操作部２０６を用いて、表示部２０７に表示された再生モード選択画面（図５−（ｂ））から、オーディオデータ記憶部２０５に記憶されているオーディオデータのランダム再生モードを選択する（Ｓ３０１）と、オーディオデータ再生制御部２２２は、この選択操作に基づいて、オーディオデータ記憶部２０５に記憶されているオーディオデータをランダムに１つ選択する（Ｓ３０２）。
【００４６】
そして、オーディオデータ再生制御部２２２は、選択したオーディオデータに対応した再生対象フラグを確認する（Ｓ３０３）。この再生対象フラグが「０」である場合、オーディオデータ再生制御部２２２は、選択したオーディオデータを楽曲データであると判断し、このオーディオデータをランダム再生の対象とする。これにより、オーディオデータ再生制御部２２２は、このオーディオデータをオーディオデータ再生部２０８へ出力し、オーディオデータ再生部２０８は、オーディオデータに対して、復号処理、Ｄ／Ａ変換処理を行った後、スピーカ２０９より音として出力させる（Ｓ３０４）。また、オーディオデータ再生制御部２２２は、再生しているオーディオデータに対応するオーディオ情報を表示部２０７へ出力し、このオーディオ情報を再生画面として表示部２０７に表示させる（Ｓ３０５）。
例えば、オーディオデータ再生制御部２２２が、オーディオデータ記憶部２０５からランダムにオーディオデータ「ＤＡＴＡ９」（図６）を選択した場合、オーディオデータ「ＤＡＴＡ９」に対する再生対象フラグは「０」であるため、楽曲データと判断し、オーディオデータ「ＤＡＴＡ９」が再生処理される。また、オーディオデータ「ＤＡＴＡ９」に対応するオーディオ情報（ジャンル名が「Ｒ＆Ｂ」、アーティスト名が「ＡｒｔｉｓｔＢ」、アルバム名が「ＭｕｓｉｃＢ」、タイトル名が「ＴｒａｃｋＦ」）を表示部２０７へ出力し、図５−（ａ）に示す再生画面を表示させる。
【００４７】
一方、再生対象フラグが「１」である場合、オーディオデータ再生制御部２２２は、選択したオーディオデータを非楽曲データであると判断し、このオーディオデータをランダム再生の対象から除外する。これにより、オーディオデータ再生制御部２２２は、再生処理を行わず、このオーディオデータをスキップする。そして、ステップＳ３０２に戻り、次のオーディオデータをオーディオデータ記憶部２０５からランダムに１つ選択する。例えば、オーディオデータ再生制御部２２２が、オーディオデータ記憶部２０５からランダムにオーディオデータ「ＤＡＴＡ１」を選択した場合、オーディオデータ「ＤＡＴＡ１」に対する再生対象フラグは「１」であるため、非楽曲データと判断し、オーディオデータ「ＤＡＴＡ１」は再生処理を行われず、スキップされる。そして、オーディオデータ再生制御部２２２は、次のオーディオデータ「ＤＡＴＡ５」をランダムに選択し、再生対象フラグの確認を行う。
【００４８】
次に、オーディオデータ再生制御部２２２は、操作部２０６からランダム再生の停止指示が入力されたか否かを確認する（Ｓ３０６）。ランダム再生の停止指示は、ユーザがオーディオデータの再生画面（図５−（ａ））に表示されている停止キーａ１を操作部２０６にて操作をした時に、操作部２０６からランダム再生の停止指示が、オーディオデータ再生制御部２２２へ入力され、オーディオデータ再生制御部２２２は、ランダム再生処理を終了させる。また、ユーザがオーディオデータの再生画面（図５−（ａ））に表示されている再生モード切替キーａ２を操作して、再生モード選択画面（図５−（ｂ））を呼び出し、ランダム再生モード以外の再生モードを選択した時に、操作部２０６からランダム再生の停止及び再生モード切替指示が、オーディオデータ再生制御部２２２へ入力される。
オーディオデータ再生制御部２２２は、入力された指示に基づき、ランダム再生処理を終了させるとともに、選択された再生モードでオーディオデータの再生を開始させる。一方、上記のような操作が行われず、オーディオデータ再生制御部２２２にランダム再生モードの停止指示が入力されていなければ、オーディオデータ再生制御部２２２は、現在再生中のオーディオデータの再生が終了したか否かを確認する（Ｓ３０７）。
【００４９】
オーディオデータ再生制御部２２２は、現在再生中のオーディオデータの再生が終了したことを確認すると、ステップＳ３０２に戻り、次の曲をオーディオデータ記憶部２０５からランダムに選択する。一方、オーディオデータの再生が終了していなければ、ステップＳ３０６に戻る。
【００５０】
上記の構成と処理により、車載用オーディオ装置２でオーディオデータのランダム再生を行わせる際、サーバ１により各オーディオデータに対し、再生対象となるか否かを予め判断させておくことで、ランダム再生時に非楽曲などの再生させたくないオーディオデータを容易にスキップでき、車載用オーディオ装置２の処理負荷が軽減され、処理効率を向上することができる。
【実施例２】
【００５１】
実施例２に係るオーディオ再生システムの全体構成及びサーバ１の構成は、実施例１に示す構成（図１及び図２）と同じである。
図１０は、実施例２に係る車載用オーディオ装置２の構成図であり、その機能構成として、ディスク読取部２０１、付随情報送信部２０２、第２データ通信部２０３、オーディオ情報受信部２０４、オーディオデータ記憶部２０５、操作部２０６、表示部２０７、オーディオデータ再生部２０８、再生対象リスト記憶部４１０、制御部４２０により構成される。なお、実施例１に示す車載用オーディオ装置２と同じ構成要素については、同じ符号を付してその説明を省略する。
【００５２】
再生対象リスト記憶部４１０は、後述する再生対象リスト作成部４２３が作成するランダム再生モードで再生対象となるオーディオ情報を管理する再生対象リスト（図１１）を記憶する。再生対象リストには、オーディオデータに対応するオーディオ情報と、オーディオデータ記憶部２０５のどの位置にオーディオデータが記憶されているかを示すオーディオデータ格納アドレスとが対応して記憶される。
【００５３】
制御部４２０は、車載用オーディオ装置２の全体を制御し、オーディオデータ記憶制御部２２１、オーディオデータ再生制御部４２２、再生対象リスト作成部４２３により構成される。
【００５４】
オーディオデータ再生制御部４２２は、操作部２０６からＣＤ５に記録されているオーディオデータの再生が入力されると、ディスク読取部２０１からＣＤ５に記録されているオーディオデータを順に取得し、取得したオーディオデータをオーディオデータ再生部２０８へ出力する。また、オーディオデータ再生制御部４２２は、操作部２０６からＣＤ５に記録されているオーディオデータのランダム再生指示が入力されると、ディスク読取部２０１からオーディオデータをトラック単位でランダムに取得し、取得したオーディオデータをオーディオデータ再生部２０８へ出力する。
【００５５】
一方、オーディオデータ再生制御部４２２は、操作部２０６からオーディオデータ記憶部２０５に記憶されているオーディオデータの再生指示が入力されると、まず、表示部２０７へ再生モード選択画面（図５−（ｂ））を表示させる指示を出す。この再生モードはオーディオデータ再生制御部４２２が有しており、例えば、本発明に係るランダム再生モードの他、ユーザによって選択されたアルバムのオーディオデータのみを再生対象とするアルバム再生モード、ユーザによって選択されたアーティストのオーディオデータのみを再生対象とするアーティスト再生モード、ユーザによって選択されたジャンルのオーディオデータのみを再生対象とするジャンル再生モードなど、異なる再生条件に従って各オーディオデータを再生するための複数の再生モードを有している。そして、どの再生モードでオーディオデータの再生を開始するかは、ユーザが選択画面に基づいて操作部２０６を操作することによって選択することができる。これにより、オーディオデータ再生制御部４２２は、選択された所望の再生モードでオーディオデータの再生を開始することが可能となる。
【００５６】
例えば、再生モード選択画面（図５−（ｂ））にて、ランダム再生モードが選択されると、オーディオデータ再生制御部４２２は、再生対象リスト記憶部４１０に記憶されている再生対象リストを取得し、取得した再生対象リストからオーディオデータをランダムに選択し、この選択されたオーディオデータに対応するオーディオデータ格納アドレスを基にオーディオデータをオーディオデータ記憶部２０５から取得する。そして、オーディオデータ再生制御部４２２は、取得したオーディオデータをオーディオデータ再生部２０８へ出力するとともに、オーディオデータに関連するオーディオ情報を表示部２０７へ出力する。
【００５７】
再生対象リスト作成部４２３は、オーディオデータ記憶処理（図７）が完了した後、オーディオデータ記憶部２０５に記憶されているオーディオデータに対応する再生対象フラグを基に再生対象リストの作成を行う。再生対象リスト作成処理については後述する。そして、再生対象リスト作成部４２３は、作成した再生対象リストを再生対象リスト記憶部４１０に記憶する。
【００５８】
続いて、上記のように構成した実施例２に係るオーディオ再生システムの各種処理について説明する。
実施例２に係るオーディオ再生システムのオーディオデータ記憶処理と再生対象フラグ生成処理は、それぞれ実施例１の図７、図８と同じであるため、その説明を省略する。
【００５９】
次に、実施例２に係るオーディオ再生システムのオーディオデータ記憶部２０５に記憶されているオーディオデータのランダム再生モードで利用する再生対象リストの作成処理について、図１２を用いて説明する。
再生対象リスト作成部４２３は、オーディオデータ記憶処理（図７）が行われた後（Ｓ４０１）、まず、オーディオデータ記憶部２０５に記憶されている全てのオーディオデータから再生対象フラグが「０（楽曲データ）」であるオーディオデータを特定し、特定したオーディオデータに対応するオーディオ情報とそのオーディオデータの記憶位置を示すオーディオデータ格納アドレスをオーディオデータ記憶部２０５から取得する（Ｓ４０２）。
次に、再生対象リスト作成部４２３は、取得したオーディオ情報とオーディオデータ格納アドレスをそれぞれのオーディオデータ毎に関連付けた再生対象リスト（図１１）を作成する（Ｓ４０３）。
最後に、再生対象リスト作成部４２３は、作成した再生対象リストを、再生対象リスト記憶部４１０に記憶する（Ｓ４０４）。
【００６０】
具体的には、再生対象リスト作成部４２３は、オーディオデータが図６のようにオーディオデータ記憶部２０５に記憶されている場合、再生対象フラグが「０」であるオーディオデータとして「ＤＡＴＡ３」、「ＤＡＴＡ４」、「ＤＡＴＡ５」、「ＤＡＴＡ９」、「ＤＡＴＡ１０」を特定し、それぞれに対応するオーディオ情報、オーディオデータ格納アドレスをオーディオデータ記憶部２０５から取得する。例えば、「ＤＡＴＡ３」に対応するオーディオ情報として、ジャンル名「Ｊ−ＰＯＰ」、アーティスト名「ＡｒｔｉｓｔＡ」、アルバム名「ＭｕｓｉｃＡ」、タイトル名「ＴｒａｃｋＡ」を取得し、オーディオデータ格納アドレスとして、「ＡＤＲ３」を取得し、それぞれの関連付けを行う。同様に「ＤＡＴＡ４」、「ＤＡＴＡ５」、「ＤＡＴＡ９」、「ＤＡＴＡ１０」に対してもオーディオ情報とオーディオデータ格納アドレスの取得と関連付けを行い、その結果、再生対象フラグが「０」であるオーディオデータのオーディオ情報とオーディオデータ格納アドレスを関連付けた再生対象リスト（図１１）を作成する。そして、再生対象リスト作成部４２３は、作成した再生対象リストを再生対象リスト記憶部４１０に記憶する。
【００６１】
続いて、実施例２に係るランダム再生システムのオーディオデータ記憶部２０５（図１０）に記憶されているオーディオデータのランダム再生処理について、図１３を用いて説明する。
ユーザが操作部２０６を用いて、表示部２０７に表示された再生モード選択画面（図５−（ｂ））から、オーディオデータ記憶部２０５に記憶されているオーディオデータのランダム再生モードを選択する（Ｓ５０１）と、オーディオデータ再生制御部４２２は、操作部２０６からランダム再生の開始指示が入力され、再生対象リスト記憶部４１０から再生対象リストを取得する（Ｓ５０２）。
オーディオデータ再生制御部４２２は、取得した再生対象リストからオーディオ情報をランダムに１つ選択する（Ｓ５０３）。
オーディオデータ再生制御部４２２は、ステップＳ５０３にて選択したオーディオ情報に対応するオーディオデータ格納アドレスを特定し、特定したオーディオデータ格納アドレスを基にオーディオデータ記憶部２０５に記憶されているオーディオデータを取得し（Ｓ５０４）、オーディオデータ再生部２０８へ出力する。出力されたオーディオデータは、オーディオデータ再生部２０８が復号処理を行い、スピーカ２０９を通じて音として再生される（Ｓ５０５）。また、このとき、オーディオデータ再生制御部４２２は、再生中のオーディオデータに対応したオーディオ情報の表示画面を生成して表示部２０７に表示する（Ｓ５０６）。これにより、ユーザに再生中のオーディオ情報を提供することが可能となる。
【００６２】
次に、オーディオデータ再生制御部４２２は、操作部２０６からランダム再生の停止指示が入力されたか否かを確認する（Ｓ５０７）。ランダム再生の停止指示は、ユーザがオーディオデータの再生画面（図５−（ａ））に表示されている停止キーａ１を操作部２０６にて操作をした時に、操作部２０６からオーディオデータ再生制御部４２２へ入力され、オーディオデータ再生制御部４２２が、ランダム再生処理を終了させる。また、ランダム再生の停止及び再生モード切替指示は、ユーザがオーディオデータの再生画面（図５−（ａ））に表示されている再生モード切替キーａ２を操作して、再生モード選択画面（図５−（ｂ））を呼び出し、ランダム再生モード以外の再生モードを選択した時に、操作部２０６からオーディオデータ再生制御部４２２へ入力され、オーディオデータ再生制御部４２２が、ランダム再生処理を終了させるとともに、選択された再生モードでオーディオデータの再生を開始させる。一方、上記のような操作が行われず、オーディオデータ再生制御部４２２にランダム再生モードの停止指示が入力されていなければ、オーディオデータ再生制御部４２２は、現在再生中のオーディオデータの再生が終了したか否かを確認する（Ｓ５０８）。
【００６３】
オーディオデータ再生制御部４２２は、現在再生中のオーディオデータの再生が終了したことを確認すると、ステップＳ５０３に戻り、次の曲を再生対象リストからランダムに選択する。一方、オーディオデータの再生が終了していなければ、ステップＳ５０７に戻る。
【００６４】
上記の構成と処理により、車載用オーディオ装置２でオーディオデータのランダム再生を行わせる際、サーバ１により各オーディオデータに対し、再生対象となるか否かを予め判断させておき、さらに車載用オーディオ装置２により再生対象となるオーディオデータのみを管理した再生対象リストを作成させ、この再生対象リストからランダムに選曲するようにすることで、ランダム再生時に非楽曲などの再生させたくないオーディオデータを容易にスキップでき、車載用オーディオ装置２の処理負荷が軽減され、処理効率を向上することができる。
【００６５】
なお、本発明は記載されている本実施形態に限られるものではなく、本発明の趣旨に基づいて種々変形させることが可能であり、それらを本発明の範囲から除外するものではない。
【符号の説明】
【００６６】
１  サーバ
２  車載用オーディオ装置
３  通信ネットワーク
５  ＣＤ
１０１  第１データ通信部
１０２  オーディオ情報記憶部
１０３  オーディオ情報特定部
１０４  再生対象情報生成部
１０５  オーディオ情報送信部
２０１  ディスク読取部
２０２  付随情報送信部
２０３  第２データ通信部
２０４  オーディオ情報受信部
２０５  オーディオデータ記憶部
２０６  操作部
２０７  表示部
２０８  オーディオデータ再生部
２０９  スピーカ
２２０、４２０  制御部
２２１  オーディオデータ記憶制御部
２２２、４２２  オーディオデータ再生制御部
４１０  再生対象リスト記憶部
４２３  再生対象リスト作成部
【図１】
2012252745.tif 000003
【図２】
2012252745.tif 000004
【図３】
2012252745.tif 000005
【図４】
2012252745.tif 000006
【図５】
2012252745.tif 000007
【図６】
2012252745.tif 000008
【図７】
2012252745.tif 000009
【図８】
2012252745.tif 000010
【図９】
2012252745.tif 000011
【図１０】
2012252745.tif 000012
【図１１】
2012252745.tif 000013
【図１２】
2012252745.tif 000014
【図１３】
2012252745.tif 000015
【図１４】
2012252745.tif 000016